(57)【特許請求の範囲】
【請求項１】
床面に設けられた基台と、
該基台から立設する支柱と、
前記基台の上方に設けられ、物品を載置可能とする下棚部材と、
前記支柱に支持され、前記物品を載置可能とする棚板部材とを有する物品陳列什器であって、
前記支柱は、前記基台に支持されて立設する一の状態から前記下棚部材の下方に格納される他の状態に移動可能であり、その基部が前記基台に回動可能に軸着され、前記他の状態において倒伏させて前記下棚部材の下方に格納自在とされていることを特徴とする物品陳列什器。
【請求項２】
請求項１に記載の物品陳列什器において、
前記支柱は、該支柱の延在方向に沿って移動可能であることを特徴とする物品陳列什器。
【請求項３】
請求項２に記載の物品陳列什器において、
前記支柱には、前記延在方向に向けてガイド穴が形成され、
前記基台には、前記ガイド穴に挿通されて前記支柱を前記延在方向にガイドする軸部が設けられていることを特徴とする物品陳列什器。
【請求項４】
請求項１から請求項３のいずれか一項に記載の物品陳列什器において、
前記基台は、その上部かつ前記下棚部材の下方に前記支柱を格納する格納部を有することを特徴とする物品陳列什器。
【請求項５】
請求項１または請求項４のいずれか一項に記載の物品陳列什器において、
前記基台は、前記支柱の前記基部を挿入する収納部を有することを特徴とする物品陳列什器。
【請求項６】
請求項１から請求項５のいずれか一項に記載の物品陳列什器において、
前記棚板部材は、前記支柱に着脱可能に設けられていることを特徴とする物品陳列什器。
【発明の詳細な説明】
【技術分野】
【０００１】
本発明は、物品陳列什器に関するものである。
【背景技術】
【０００２】
一般に、スーパーマーケットやコンビニエンスストア等の店舗には、商品（以下、物品とする。）を陳列する商品陳列什器（以下、物品陳列什器とする。）が複数設置されている。ここで、物品陳列什器としては、例えば、床面に設けられた基台と、該基台から立設する左右一対の支柱と、該一対の支柱に支持されて上下方向に間隔をおいて配設されるとともに物品の載置を可能とされた複数の棚板部材とを有するものが提案されている。
このような物品陳列什器においては、該複数の棚板部材に物品の載置が可能であり、棚板部材毎に異なる種類の物品を整頓して陳列することができる。
【０００３】
また、上記とは異なる型式の物品陳列什器としては、床面に設けられた基台（台枠）と、該基台の上方に配設されその上面に物品の載置を可能とされた補助陳列板と、該補助陳列板の後部に傾斜角度を自在に設定できる支持枠とを有するものが提案されている（下記特許文献１参照）。
このような物品陳列什器においては、基台の上方に配された補助陳列板に物品を陳列することができ、陳列する物品の量に応じて支持枠の設けられる傾斜角を変化させて見栄えよく陳列することができる。
【０００４】
ここで、店舗においては、一日及び年間を通じて陳列する物品の種類や量に変動が生じるため、状況に応じて物品の陳列形態を変更することが望まれている。
例えば、多数の種類の物品を陳列する場合には、上記に記載の複数の棚板部材が設けられた型式の物品陳列什器が適している。これにより、複数の棚板部材に、多数の種類の物品を整頓して陳列することができるため、見栄えよく物品を陳列することができるとともに、消費者は欲しい物品を容易に探し出すことができるという長所がある。
【０００５】
一方、例えば同種類の物品を山積みに陳列したい場合には、上記に記載の基台の上方に配された補助陳列板に物品を載置可能とする型式の物品陳列什器が適している。これにより、同種類の物品を山積みに陳列することで、量を豊富に見せられるという長所がある。
【先行技術文献】
【特許文献】
【０００６】
【特許文献１】特許第２９８５１１８号公報
【発明の概要】
【発明が解決しようとする課題】
【０００７】
ここで、上記の物品陳列什器どうしでは互換性がないため、様々な陳列形態に対応するためには、該２型式の物品陳列什器を用意しておく必要があり、コストが嵩むという問題点がある。
また、使用していない方の型式の物品陳列什器は倉庫等に収納しなければならないところ、限られた床面積の店舗においては収納スペースの確保が困難な場合がある。
【０００８】
本発明は、上記事情に鑑みてなされたものであり、物品を載置する棚の構成を適宜変化させて、体裁よく物品の載置を可能とする物品陳列什器を提供するものである。
【課題を解決するための手段】
【０００９】
上記目的を達成するために、本発明は以下の手段を採用している。
すなわち、本発明に係る物品陳列什器は、床面に設けられた基台と、該基台から立設する支柱と、前記基台の上方に設けられ、物品を載置可能とする下棚部材と、前記支柱に支持され、前記物品を載置可能とする棚板部材とを有する物品陳列什器であって、前記支柱は、前記基台に支持されて立設する一の状態から前記下棚部材の下方に格納される他の状態に移動可能であり、その基部が前記基台に回動可能に軸着され、前記他の状態において倒伏させて前記下棚部材の下方に格納自在とされていることを特徴とする。
【００１０】
このような物品陳列什器では、一の状態では棚板部材及び支柱に設けられた棚板部材に物品を載置することができ、他の状態では、下棚部材の物品を載置することができる。よって、一の状態と他の状態とで、物品を載置する棚の構成を適宜変化させて物品の載置が可能となる。
また、他の状態では、使用しない支柱を下棚部材の下方に格納することができるため、体裁よく物品を載置することができる。
また、支柱を一の状態から基部を中心として回動させることで、倒伏した他の状態とすることができる。よって、一の状態から他の状態に確実に変更することができるため、物品を載置する棚の構成を適宜変化させることができる。
【００１３】
また、本発明に係る物品陳列什器は、前記支柱は、該支柱の延在方向に沿って移動可能であってもよい。
【００１４】
このような物品陳列什器では、支柱を倒伏させた状態で該支柱の延在方向に支柱を移動させることで、下棚部材の下方に格納することができる。よって、支柱を確実に格納することができるため、体裁よく物品を載置することができる。
【００１５】
また、本発明に係る物品陳列什器は、前記支柱には、前記延在方向に向けてガイド穴が形成され、前記基台には、前記ガイド穴に挿通されて前記支柱を前記延在方向にガイドする軸部が設けられていてもよい。
【００１６】
このような物品陳列什器では、基台に設けられた軸部をガイド穴の内部を移動させることで、支柱を延在方向に沿って移動させることができる。よって、支柱倒伏させた状態で延在方向に沿って容易に移動させることができるため、下棚部材の下方に確実に格納することができる。
【００１７】
また、本発明に係る物品陳列什器は、前記基台は、その上部かつ前記下棚部材の下方に前記支柱を格納する格納部を有していてもよい。
【００１８】
このような物品陳列什器では、支柱を格納部に確実に格納することができる。また、該格納部は下棚部材の下方に設けられているため、外観を良好として支柱を格納することができる。
【００１９】
また、本発明に係る物品陳列什器は、前記基台は、前記支柱の前記基部を挿入する収納部を有していてもよい。
【００２０】
このような物品陳列什器では、支柱の基部を収納部に挿入させれることで外観を良好とすることができる。
【００２１】
また、本発明に係る物品陳列什器は、前記棚板部材は、前記支柱に着脱可能に設けられていてもよい。
【００２２】
このような物品陳列什器では、他の状態において棚板部材を脱することができるため、体裁よく物品を載置することができる。
【発明の効果】
【００２３】
本発明に係る物品陳列什器によれば、一の状態では棚板部材及び支柱に設けられた棚板部材に物品を載置することができ、他の状態では、下棚部材の物品を載置することができるため、一の状態と他の状態とで物品を載置する棚の構成を適宜変化させて、体裁よく物品の載置を可能とすることができる。
【図面の簡単な説明】
【００２４】
【図１】本発明の一実施形態に係る物品陳列什器の全体構成を示す一の状態における斜視図である。
【図２】本発明の一実施形態に係る物品陳列什器であって下棚部材を取り外した状態の全体構成を示す斜視図である。
【図３】本発明の一実施形態に係る物品陳列什器の要部の構成を示す切断斜視図である。
【図４】本発明の一実施形態に係る物品陳列什器を構成する基台と支柱との取り付け部分の拡大斜視図である。
【図５】図４のＰ−Ｐ断面図である。
【図６】図４のＱ−Ｑ断面図である。
【図７】本発明の一実施形態に係る物品陳列什器を構成する支柱が一の状態から回動した状態の斜視図である。
【図８】本発明の一実施形態に係る物品陳列什器を構成する支柱が一の状態から回動した途中の状態の斜視図である。
【図９】本発明の一実施形態に係る物品陳列什器を構成する基台と支柱との取り付け部分の一の状態における縦断面図である。
【図１０】本発明の一実施形態に係る物品陳列什器を構成する基台と支柱との取り付け部分の他の状態における縦断面図である。
【図１１】本発明の一実施形態に係る物品陳列什器の全体構成を示す他の状態における斜視図である。
【発明を実施するための形態】
【００２５】
以下、本発明の一実施形態に係る物品陳列什器について説明する。
図１に示すように、物品陳列什器１は、床面Ｆに設けられた基台１０と、該基台１０に支持され該基台１０から立設する支柱４０と、物品を載置可能とされた下棚部材６０及び棚板部材７０とを備えている。
この物品陳列什器１はその状態を変化させることが可能であるが、ここではまず図１に示す第一状態（一の状態）について説明する。
なお、基台１０、支柱４０、下棚部材６０及び棚板部材７０は、例えば鋼板を折曲加工して形成されたものである。
【００２６】
（基台１０）
図１及び図２に示すように、基台１０は、床面Ｆに設けられた略箱状部材であり、４側面を構成する側パネル１１Ａ，１１Ｂ，１１Ｃ，１１Ｄと、対向する側パネル１１Ａ，１１Ｂ，１１Ｃ，１１Ｄの下部を連結するパネル連結材１２と、該パネル連結材１２の下部に設けられたキャスター１３と、支柱４０を格納する格納部２０と、支柱４０の基部４０Ａを挿入する収納部３０（図３参照）とを有している。
【００２７】
側パネル１１Ａ，１１Ｂ，１１Ｃ，１１Ｄは、略矩形状の板状部材であって４枚で構成されており、隣接する側パネル１１Ａ，１１Ｂ，１１Ｃ，１１Ｄ同士が直角に連結されている。
キャスター１３は、水平方向を軸線方向として、床面Ｆ上を自由自在に走行することができる。
【００２８】
（格納部２０）
図２及び図３に示すように、側パネル１１Ａ，１１Ｂ，１１Ｃ，１１Ｄには、その上部であって下棚部材６０の下方において、内方に折曲する第一基台壁部２１と、該第一基台壁部２１の端部から上方に立設する第二基台壁部２２とが設けられている。さらに、側パネル１１Ａ，１１Ｃには、該第二基台壁部２２の上部から内方に折曲する第三基台壁部２３と、該第三基台壁部２３の端部から下方に折曲された第四基台壁部２４とが設けられている。ここで、該第一基台壁部２１及び第二基台壁部２２により形成された空間が格納部２０として構成されている。該格納部２０は、４枚の側パネル１１Ａ，１１Ｂ，１１Ｃ，１１Ｄの上部にそれぞれ設けられている。
【００２９】
また、図４に示すように、第一基台壁部２１には、上下方向に開口する開口部２５が形成され、該開口部２５には支柱４０が挿通されている。
また、図２に示すように、第三基台壁部２３には、その両端部から上方に向かって突出する下棚部材６０係合用の突出部２６が設けられている。
【００３０】
（収納部３０）
図３に示すように、側パネル１１Ａ，１１Ｃには、該側パネル１１Ａ，１１Ｃの内面から内方に向かって延出する一対の収納壁部３１と、該一対の収納壁部３１を連結する連結壁部３２と、該一対の収納壁部３１及び連結壁部３２の下部を塞ぐ収納底部３６とが設けられている。
【００３１】
この収納壁部３１は第一基台壁部２１の下方に該第一基台壁部２１に連続して設けられ、連結壁部３２は第二基台壁部２２の下方に該第二基台壁部２２と同一平面上に設けられている。ここで、収納壁部３１、連結壁部３２及び収納底部３６により形成された空間が収納部３０として構成されるとともに、該収納部３０の上方には第一基台壁部２１に形成された開口部２５が設けられ、該開口部２５及び収納部３０に連通して支柱４０が挿入されている。
【００３２】
また、第二基台壁部２２には、詳細については後述する支柱４０に形成されたガイド穴５７と連通する孔部３３が形成されるとともに、該孔部３３及びガイド穴５７に挿通されたボルト３４（軸部）が設けられている。
【００３３】
図４及び図５に示すように、ボルト３４は、ボルト頭部３４Ａと、該ボルト頭部３４Ａから延在するボルト本体３４Ｂとを有している。図５及び図６に示すように、このボルト頭部３４Ａが支柱４０の内方に配設され、ボルト本体３４Ｂがガイド穴５７及び孔部３３に挿通されて、その端部にはナット３５が螺合されることにより、当該ボルト３４は基台１０に固定されている。
【００３４】
（支柱４０）
図１に示すように、支柱４０は、基台１０から立設する一対の支柱本体５０と、該支柱本体５０の上端を連結する支柱連結材５６とを有している。また、支柱本体５０は、基台１０を構成する一辺の略中央部から立設している。
【００３５】
図３及び図４に示すように、支柱本体５０は、一方向に延在する管状部材であり、側パネル１１Ａ，１１Ｃに設けられた第二基台壁部２２に当接する第一支柱壁部５１と、該第一支柱壁部５１の両端から該第一支柱壁部５１に直交して設けられた第二支柱壁部５２、第三支柱壁部５３と、該第二支柱壁部５２と第三支柱壁部５３とを連結する第四支柱壁部５４とを有している。
【００３６】
ここで、第一支柱壁部５１、第二支柱壁部５２、第三支柱壁部５３及び第四支柱壁部５４の下端は、収納部３０の収納底部３６の上面に当接している。
また、第四支柱壁部５４にはボルト３４取り付け用の挿入孔部５５が設けられている。
【００３７】
図３に示すように、第一支柱壁部５１には、その基部４０Ａ（下部）に、厚み方向に開口し、支柱本体５０の延在方向に向けた長穴のガイド穴５７が形成されている。このガイド穴５７に上述したように基台１０に固定されたボルト３４が挿通されることで、支柱４０は基台１０に軸着されている。
【００３８】
ここで、ガイド穴５７の幅方向の寸法は、ボルト本体３４Ｂの径よりも大きく設定されているとともに、ボルト頭部３４Ａの径よりも小さく設定されている。これにより、ボルト３４が支柱本体５０に設けられた該ガイド穴５７の内部を移動することで、該支柱本体５０を延在方向にガイドし、該支柱本体５０は延在方向に沿って移動可能とされている。
【００３９】
また、図１に示すように、第二支柱壁部５２の下部には、外方に向かって突出する突出部２６が形成されている。また、第二支柱壁部５２には、その厚み方向に開口するスリット孔５９が間隔を有して、支柱本体５０の延在方向に向けて複数設けられている。このスリット孔５９には後述する棚板部材７０が係合して取り付けられている。
【００４０】
（下棚部材６０）
図１及び図２に示すように、下棚部材６０は、一対の板状部材であり、基台１０の上方に着脱可能に設けられている。この下棚部材６０は、上面を形成する下棚板部６１と、該下棚板部６１から下方に設けられた下棚側壁部６２と、該下棚側壁部６２から折曲された下棚底部（不図示。以下同じ。）を有している。
【００４１】
下棚板部６１には、角部において、平面視して略矩形状の切欠き部６３が設けられている。図１に示すように、一対の下棚部材６０を配設した状態で、隣接する切欠き部６３を合わせた断面形状が支柱本体５０の断面形状と略同一又は支柱本体５０の形状よりもわずかに大きいものとされているため、該支柱本体５０は該切欠き部６３内を上下方向に移動可能とされている。
【００４２】
また、下棚側壁部６２は、基台１０の側パネル１１Ａ，１１Ｂ，１１Ｃ，１１Ｄの同一平面上に配設されている。
また、下棚底部には、基台１０の第三基台壁部２３に設けられた突出部２６と係合する下棚係合部（不図示。以下同じ。）が設けられている。
【００４３】
（棚板部材７０）
棚板部材７０は、板状部材であり、支柱４０に着脱可能に設けられている。本実施形態では、該棚板部材７０の下部に設けられたブラケット７２が支柱本体５０の第二支柱壁部５２に設けられたスリット孔５９に係合するとともに下棚部材６０から立設する支持部７１に支持されることで、該棚板部材７０は支柱４０に取り付けられている。
【００４４】
次に、上記のようの構成された物品陳列什器１の状態変化の動作について説明する。
まず、上記に示した第一状態から、図２に示すように支柱４０が上方に移動した第二状態に変化する動作ついて説明する。
【００４５】
ここで、棚板部材７０に設けられたブラケット７２を支柱本体５０の第二支柱壁部５２に設けられたスリット孔５９から取り外して、該棚板部材７０を支柱４０から脱した状態にしておく。また、一方の下棚部材６０、すなわち後述する支柱本体５０が倒伏する方の下棚部材６０に設けられた下棚係合部と基台１０に設けられた突出部２６との係合を外して、下棚部材６０を基台１０から取り外す。
【００４６】
そして、支柱本体５０を上方に引っ張ると、基台１０の第二基台壁部２２に設けられたボルト３４が、該支柱本体５０に設けられたガイド穴５７に沿って相対的に下方に移動することで、該支柱本体５０は上方に移動する。ここで、図２及び図９に示すように、支柱本体５０の下端が、第一基台壁部２１に形成された開口部２５の上方に位置するまで、本実施形態ではボルト３４がガイド穴５７の下端に位置するまで、支柱４０は上方に移動した第二状態となる。
【００４７】
次に、上記の第二状態から支柱４０を倒伏して、図７において二点鎖線で示すように支柱本体５０が基台１０の上部に沿って配設された第三状態に変化する動作について説明する。
【００４８】
図８に示すように、第二状態から支柱４０をＳ方向（取り外された下棚部材６０の方に倒伏する方向）に倒伏させる。このとき、支柱本体５０の下端は第一基台壁部２１に形成された開口部２５の上方に位置し、すなわち収納部３０の上方に位置しているため、該支柱本体５０は固定されているボルト３４を中心として回動可能とされる。よって、支柱本体５０が図８に示すように傾倒された状態から、図７の二点鎖線及び図９の二点鎖線で示すように支柱本体５０が基台１０の第一基台壁部２１に沿って配設された倒伏状態となる第三状態となる。
【００４９】
次に、上記の第三状態から、支柱本体５０を基台１０の上部に沿って移動させて、図７において実線で示すように、支柱本体５０及び支柱連結材５６が格納部２０に配設された第四状態に変化する動作について説明する。
【００５０】
図１０に示すように、第三状態から支柱本体５０をＴ方向に移動させる。このとき、ガイド穴５７に対してボルト３４が相対的に移動することで、支柱本体５０はＴ方向に移動して、図７の実線で示すように、支柱連結材５６が基台１０の上部に設けられた収納部３０に配設された第四状態となる。
また、図１０に示すように、本実施形態では、第四状態において、ボルト３４はガイド穴５７の端部（支柱本体５０の基部４０Ａ側と反対側の端部）に位置している。
【００５１】
この状態で、取り外していた下棚部材６０に設けられた下棚係合部に、基台１０に設けられた突出部２６（図２参照）を係合させれば、図１１に示す下棚部材６０が基台１０に取り付けられた第五状態（他の状態）となる。このように、第五状態においては、支柱本体５０及び支柱連結材５６は、下棚部材６０の下方に設けられた格納部２０に格納されている。
【００５２】
次に、上記の動作手順とは逆に、第五状態から第一状態への状態変化の動作について説明する。
まず、上記の第五状態から第四状態に変化する動作について説明する。
上記の第五状態から、下棚部材６０に設けられた下棚係合部と基台１０に設けられた突出部２６との係合を外して、下棚部材６０を基台１０から取り外す。これにより、図７において実線で示す第四状態にする。
【００５３】
次に、上記の第四状態から支柱本体５０を基台１０の上部に沿って移動した第三状態に変化する動作について説明する。
図７に示すように、上記の第四状態から、支柱本体５０をＴと逆方向に移動させれば、ガイド穴５７に対してボルト３４が相対的に移動することで、支柱本体５０はＴと逆方向に移動する。そして、図７において二点鎖線で示すように、平面視して支柱連結材５６が基台１０の外方に突出した第三状態となる。
【００５４】
次に、上記の第三状態から支柱４０が立ち上がり、図２に示すように支柱本体５０が基台１０から立設した第二状態に変化する動作について説明する。
第三状態から支柱４０を持ち上げると、支柱本体５０は基台１０に固定されているボルト３４を中心として回動し、図２に示すように該支柱本体５０が基台１０から立設した第二状態になる。
【００５５】
次に、上記の第二状態から支柱４０が下方に移動して、図１に示すように支柱本体５０が側パネル１１Ａ，１１Ｃに設けられた収納底部３６に当接した第一状態に変化する動作について説明する。
第二状態から支柱４０はその重力により、ガイド穴５７に対してボルト３４が相対的に移動することで、支柱本体５０は下方に移動して収納部３０に収納される。そして、支柱本体５０の下端が収納底部３６に当接したときに支柱本体５０の下方向の移動は停止して、該支柱４０の位置が決まるとともに該支柱４０は基台１０に固定される。
この状態で、棚板部材７０に設けられたブラケット７２を支柱本体５０の第二支柱壁部５２に設けられたスリット孔５９に係合させれば、該棚板部材７０は支柱４０に係合固定される。
【００５６】
このように構成された物品陳列什器１では、第一状態では、下棚部材６０、棚板部材７０は、それぞれ基台１０、支柱４０に固定されているため、下棚部材６０及び棚板部材７０に物品を載置することができる。また、第五状態では、下棚部材６０が基台１０に固定されるため、下棚部材６０に物品を載置することができる。よって、使用態様に応じて物品陳列什器１の形態を変化させて物品の載置を可能とすることができる。
【００５７】
例えば、スーパーマーケット等の店舗において、上記の物品陳列什器１を第一状態とすることで、複数の種類の物品を整頓して陳列することができるため見栄えをよくすることができるとともに、消費者は物品を容易に探し出すことができるという長所がある。
また、物品陳列什器１を第五状態とすることで、大量の物品を山積みに陳列することが可能である。
【００５８】
よって、物品の種類や量に応じて物品陳列什器１の形態を変化させることで、物品の多様な陳列形態が可能となり利便性が高い。具体的には、店舗の開店時等物品の種類が多いときは第一状態として、消費者に対して物品の種類の豊富さをアピールすることができる。また、店舗の閉店時やバーゲン時等で物品の種類が少ないときには第二状態として、少ない種類の物品を山積みにすることで、消費者の購買意欲を活気付けることが可能となる。
【００５９】
また、第五状態において、使用していない支柱４０を下棚部材６０の下方に設けられた格納部２０に格納することができる。よって、該支柱４０が外観上目立たないばかりか、上方視では下棚部材６０の下方に配されるため見えないたま、体裁よい状態とすることができる。また、使用していない支柱４０を格納部２０に格納することで、該支柱４０を紛失することはない。
【００６０】
また、支柱４０の基部４０Ａは、基台１０の側パネル１１Ａ，１１Ｃの内面に設けられた収納部３０に挿入され、該基部４０Ａが外観上露出することはないため、体裁よい状態とすることができる。
【００６１】
また、支柱４０には突出部２６が設けられており、第五状態では該突出部２６が下棚部材６０に設けられた切欠き部６３に配設されるため、納まりよい状態とすることができる。
【００６２】
また、上述した実施の形態において示した動作手順、あるいは各構成部材の諸形状や組み合わせ等は一例であって、本発明の主旨から逸脱しない範囲において設計要求等に基づき種々変更可能である。
【００６３】
例えば、本実施形態では、支柱本体５０の第二支柱壁部５２に棚板部材７０が設けられているが、第三支柱壁部５３にも棚板部材７０が設けられていてもよい。この場合は、支柱本体５０を挟んで両側に棚板部材７０の取り付けが可能となるため、大量の物品の載置が可能となる。
【００６４】
また、基台１０の外縁部に、物品の落下を防止する側板や柵等を着脱可能設けてもよい。この場合、第五状態において、下棚部材６０に載置した物品が落下することを防止することができる。
【００６５】
また、物品陳列什器１は、支柱４０をＳ方向と逆向きに付勢する付勢部（不図示。以下同じ。）を備えていてもよい。これにより、第三状態から第二状態への変化の動作を、大きな力と伴わずに円滑に行うことができる。
【符号の説明】
【００６６】
１…物品陳列什器
１０…基台
２０…格納部
３０…収納部
３４…ボルト（軸部）
４０…支柱
４０Ａ・・・基部
５７…ガイド穴
６０…下棚部材
７０…棚板部材
Ｆ・・・床面
【図１】
0005926967.tif 000002
【図２】
0005926967.tif 000003
【図３】
0005926967.tif 000004
【図４】
0005926967.tif 000005
【図５】
0005926967.tif 000006
【図６】
0005926967.tif 000007
【図７】
0005926967.tif 000008
【図８】
0005926967.tif 000009
【図９】
0005926967.tif 000010
【図１０】
0005926967.tif 000011
【図１１】
0005926967.tif 000012